(57)【要約】【課題】画像再構成に必要な投影データの効率的保存及び利用を実現するＸ線コンピュータ断層撮影装置の提供【解決手段】スキャン制御部２２は、Ｘ線検出器１６の検出面におけるＸ線照射野（スキャン範囲）の位置及び大きさを操作者からの指示に従って設定する。そしてスキャン制御部２２は、Ｘ線管球１４とＸ線検出器１６と回転フレーム１２とを制御して、Ｘ線検出器１６の検出面のうちの少なくとも注目領域にＸ線が照射されるように被検体をスキャンする。データ収集回路２６は、検出面から投影データを収集する。データ抽出部４２は、収集された投影データから、スキャン範囲に対応する投影データを抽出する。抽出データ記憶部４４は、抽出された投影データを記憶する。【選択図】      図１
2010051569.tif 000002
【特許請求の範囲】
【請求項１】
Ｘ線を発生するＸ線管球と、
前記Ｘ線管球から発生され被検体を透過するＸ線を検出するＸ線検出器と、
前記Ｘ線管球と前記Ｘ線検出器とを回転可能に支持する回転機構と、
前記Ｘ線検出器の検出面における注目領域の位置及び大きさを操作者からの指示に従って設定する設定部と、
前記Ｘ線管球と前記Ｘ線検出器と前記回転機構とを制御して、前記検出面のうちの少なくとも前記設定された注目領域にＸ線が照射されるように前記被検体をスキャンする制御部と、
前記検出面から出力データを収集するデータ収集部と、
前記収集された出力データから、前記注目領域に対応する注目出力データを抽出する抽出部と、
前記抽出された注目出力データを記憶する記憶部と、
を具備するＸ線コンピュータ断層撮影装置。
【請求項２】
前記Ｘ線管球からＸ線が発生されているか否かを判定する判定部をさらに備え、
前記抽出部は、前記判定部の判定結果に基づいて、前記注目出力データから、Ｘ線発生時において出力された発生時出力データとＸ線未発生時において出力された未発生時出力データとを区別して抽出し、
前記記憶部は、前記抽出された発生時出力データを記憶する、
請求項１記載のＸ線コンピュータ断層撮影装置。
【請求項３】
前記抽出された未発生時出力データを、出力データのデータ量よりも少ないデータ量を有しＸ線未発生時に収集されたデータであることを表すコードに変換するコード変換部をさらに備え、
前記記憶部は、前記発生時出力データと前記コードとを記憶する、
請求項２記載のＸ線コンピュータ断層撮影装置。
【請求項４】
前記判定部は、前記Ｘ線管球の近傍に取り付けられたリファレンス検出器からの出力に基づいて、前記Ｘ線管球からＸ線が発生されているか否かを判定する、請求項２記載のＸ線コンピュータ断層撮影装置。
【請求項５】
前記注目出力データに基づいて前記被検体に関する画像データを再構成する再構成処理部をさらに備える請求項１記載のＸ線コンピュータ断層撮影装置。
【請求項６】
前記コードを前記コードに対応する所定値を有する所定の出力データに変換する出力データ変換部と、
前記発生時出力データと前記所定の出力データとに基づいて画像データを再構成する再構成処理部と、
をさらに備える請求項３記載のＸ線コンピュータ断層撮影装置。
【請求項７】
前記Ｘ線管球には、コリメータが取り付けられており、
前記制御部は、少なくとも前記コリメータの動作に応じて位置及び大きさが変化する注目領域にＸ線が照射されるように前記被検体をスキャンし、
前記データ抽出部は、前記位置及び大きさが変化する注目領域に対応する注目出力データを抽出する、
請求項１記載のＸ線コンピュータ断層撮影装置。
【請求項８】
前記抽出された注目出力データを移動可能な記録媒体に書き込む、またはネットワークを介して接続された他の装置に伝送するデータ出力部をさらに備える請求項１記載のＸ線コンピュータ断層撮影装置。
【請求項９】
前記発生時出力データと前記コードとを移動可能な記録媒体に書き込む、またはネットワークを介して接続された他の装置に伝送するデータ出力部をさらに備える請求項３記載のＸ線コンピュータ断層撮影装置。
【発明の詳細な説明】
【技術分野】
【０００１】
本発明は、多列のＸ線検出器を備えるＸ線コンピュータ断層撮影装置に関する。
【背景技術】
【０００２】
Ｘ線コンピュータ断層撮影装置は、Ｘ線検出器からの投影データを記憶機器に記憶している。一方、Ｘ線コンピュータ断層撮影装置において、特許文献１に示すような、撮影範囲を指定し、表示する技術がある。近年のＸ線検出器の検出素子列数の増加に伴い、記憶する投影データの量が増大している。現在の装置では、Ｘ線検出器の検出面上に占めるＸ線照射野（スキャン範囲）の位置及び大きさに依らず、検出面全体からの投影データを固定サイズで記憶している。すなわち、検出面全体のうちの一部の検出素子列にのみＸ線が照射される場合、Ｘ線が照射された検出素子列からの投影データだけでなく、Ｘ線が照射されなかった検出素子列からの投影データをも記憶機器に記憶している。つまり、現状では、画像再構成に不必要な投影データが記憶機器の記憶領域を無駄に占有してしまっている。これに伴い、画像再構成をする段階においては、不必要な投影データをも記憶機器から読み出さなければならず、余計な処理時間が発生してしまっている。
【特許文献１】特開２００５―３２３７２４号公報
【発明の開示】
【発明が解決しようとする課題】
【０００３】
本発明の目的は、画像再構成に必要な投影データの効率的保存及び利用を実現するＸ線コンピュータ断層撮影装置を提供することにある。
【課題を解決するための手段】
【０００４】
本発明のある局面に係るＸ線コンピュータ断層撮影装置は、Ｘ線を発生するＸ線管球と、前記Ｘ線管球から発生され被検体を透過するＸ線を検出するＸ線検出器と、前記Ｘ線管球と前記Ｘ線検出器とを回転可能に支持する回転機構と、前記Ｘ線検出器の検出面における注目領域の位置及び大きさを操作者からの指示に従って設定する設定部と、前記Ｘ線管球と前記Ｘ線検出器と前記回転機構とを制御して、前記検出面のうちの少なくとも前記設定された注目領域にＸ線が照射されるように前記被検体をスキャンする制御部と、前記検出面から出力データを収集するデータ収集部と、前記収集された出力データから、前記注目領域に対応する注目出力データを抽出する抽出部と、前記抽出された注目出力データを記憶する記憶部と、を具備する。
【発明の効果】
【０００５】
本発明によれば、画像再構成に必要な投影データの効率的保存及び利用を実現することが可能となる。
【発明を実施するための最良の形態】
【０００６】
以下、図面を参照しながら本発明の実施形態に係わるＸ線コンピュータ断層撮影装置を説明する。
【０００７】
（第１実施形態）
図１は、本発明の第１実施形態に係わるＸ線コンピュータ断層撮影装置の構成を示す図である。図１に示すように、Ｘ線コンピュータ断層撮影装置は、ガントリ１０を有する。ガントリ１０は、円環又は円板状の回転フレーム１２を回転可能に支持する。回転フレーム１２は、撮影領域中に天板に載置された被検体を挟んで対向するようにＸ線管球１４とＸ線検出器１６とを有する。回転フレーム１２は、回転駆動部１８からの駆動信号の供給を受けて、例えば０．４秒／回転の速度でＸ線管球１４とＸ線検出器１６とを連続回転させる。
【０００８】
Ｘ線管球１４は、高電圧発生部２０からスリップリング２１を経由して高電圧の印加及びフィラメント電流の供給を受けてＸ線を発生する。Ｘ線管球１４は、スキャン制御部２２の制御のもと、Ｘ線を連続的に発生させる。Ｘ線管球１４は、大きなコーン角を有するコーンビームＸ線を発生する。管球位置検出部２４は、Ｘ線管球１４の角度を検出するために設けられ、典型的にはロータリーエンコーダを有している。Ｘ線管球１４の角度は、典型的には、Ｘ線管球１４が最上位置にあるときを基準角度（０°）としてそこからの変位角として検出される。この場合、角度（１８０°）は、最下位置に対応する。Ｘ線管球１４には、コリメータ１５が取り付けられている。コリメータ１５は、可変開口を有し、Ｘ線管球１４から発生されたコーンビームＸ線の立体角を限定する。可変開口幅は、スキャン制御部２２により制御される。
【０００９】
Ｘ線検出器１６は、図２に示すように、列方向（スライス方向）とチャンネル方向との両方向に関して稠密に分布される複数の検出素子１６１を有する。チャンネル方向に沿って１列に並べられる複数の検出素子１６１をまとめて検出素子列１６２と呼ぶ。各検出素子列１６２は、その長軸をチャンネル方向に平行にして複数配列される。これら複数の検出素子１６１、あるいは複数の検出素子列１６２がＸ線検出器１６の検出面を構成する。検出素子１６１には、Ｘ線の強度に応じた電流信号が発生される。図１に示すように、Ｘ線検出器１６には、データ収集回路（ＤＡＳ）２６が接続されている。
【００１０】
データ収集回路２６は、スキャン制御部２２の制御のもとで、Ｘ線検出器１６から検出素子１６１又は検出素子列１６２ごとに読み出される電流信号を増幅し、デジタル信号である投影データに変換する。よく知られているように、後述する前処理が行われる前の投影データは、生データと呼ばれ、前処理後の投影データは、単に投影データと呼ばれている。なお、電流信号は、Ｘ線が照射された検出素子１６１からだけでなく、Ｘ線が照射されなかった検出素子１６１からも読み出される。データ収集回路２６は、生データに、その生データに対応する電流信号を発生した検出素子１６１が属する検出素子列１６２の列番号を示す列番号コード、及びその生データが収集されたときのＸ線管球１４の位置（ビュー角度）を示すビューコードを付す。
【００１１】
また、Ｘ線コンピュータ断層撮影装置は、スキャン制御部２２を中枢として、前処理部３０、全データ記憶部３２、再構成処理部３４、表示部３６、データ出力部３８、及び操作部４０を備える。
【００１２】
前処理部３０は、データ収集回路２６から受け取った生データに対して、対数変換、感度補正等の前処理を施して、画像再構成処理の直前段階にある投影データを発生する。
【００１３】
全データ記憶部３２は、前処理部３０により発生された全ての投影データを記憶する。全データ記憶部３２は、投影データを、列番号コード、及びビューコードに関連付けて記憶する。なお、全データ記憶部３２は、データ収集回路２６により発生された全ての生データを記憶してもよい。この際、生データには、列番号コード、及びビューコードが関連づけられて記憶される。
【００１４】
再構成処理部３４は、投影データを画像再構成処理することにより、画像データを発生する。画像再構成アルゴリズムとしては、Ｆｅｌｄｋａｍｐ再構成等のコーンビーム再構成が好適である。
【００１５】
表示部３６は、発生された画像データを表示したり、スキャン条件を設定するための設定画面を表示したりする。
【００１６】
データ出力部３８は、投影データをＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、ＭＯ（Ｍａｇｎｅｔｉｃ  Ｏｐｔｉｃａｌ  ｄｉｓｃ）等の持ち運び可能な記録媒体へ記録したり、図示しないネットワークを介して他の装置へ伝送したりする。
【００１７】
操作部４０は、操作者からの各種指令やスキャン条件の入力を受け付ける。具体的には、操作部４０は、スキャン条件として、スキャン範囲の大きさ及び位置の指示を受付ける。スキャン範囲は、Ｘ線検出器１６の検出面上のＸ線照射野を示す。換言すれば、スキャン範囲は、生データ及び投影データの収集に用いる検出素子１６１又は検出素子列１６２の範囲を示す。通常、スキャン範囲は、操作者により操作部４０を介して、スキャン範囲に含まれる検出素子列１６２の列数（以下、収集列数と呼ぶ）により指定される。例えば、検出素子列１６２の総数が８列の場合にスキャン範囲として収集列数「２列」が指定されると、スキャン制御部２２は、列方向に関して中心２列をスキャン範囲に設定する。なお、Ｘ線検出器１６の検出素子列１６２の総数は８列に限定されず、例えば４列等の８列以下であっても、例えば３２０列等の８列以上であってもよい。また、スキャン範囲は、検出面上のどの位置及び大きさに設定されてもよい。例えば、スキャン範囲が端列付近の検出素子列１６２に設定されても、あるいは、所望位置に配置された一つ或いは複数の検出素子１６１に設定されてもよい。また、スキャン範囲は、一検出面上に複数設定されても構わない。
【００１８】
スキャン制御部２２は、操作部４０を介して指定されたスキャン条件に基づいてスキャン条件を設定する。具体的には、スキャン制御部２２は、操作部４０からの指示に基づいて設定したスキャン範囲に対してＸ線が限定的に照射されるように、コリメータ１５の開口幅を設定する。そしてスキャン制御部２２は、Ｘ線管球１４とＸ線検出器１６と回転フレーム１２とを制御して、被検体をスキャンする。スキャン中、検出面のうち少なくとも設定されたスキャン範囲には、Ｘ線管球１４からコーンビームＸ線が連続的に照射される。第１実施形態において、スキャン制御部２２は、スキャン中、天板（図示せず）又はガントリ１０を移動させない、いわゆるコンベンショナルスキャンを行なう。
【００１９】
図１に示すようにＸ線コンピュータ断層撮影装置は、さらに、データ抽出部４２、及び抽出データ記憶部４４を備える。
【００２０】
データ抽出部４２は、データ収集回路２６から受信する生データから、スキャン範囲内に関する生データを抽出する。ここで、スキャン範囲内に関する生データを、範囲内生データと呼ぶことにする。一方、スキャン範囲外に関する生データを、範囲外生データと呼ぶことにする。抽出された範囲内生データ、前処理部３０に送信される。前処理部３０は、受信した範囲内生データを前処理して、範囲内生データに基づく投影データである範囲内投影データを発生する。
【００２１】
抽出データ記憶部４４は、範囲内投影データを列番号コードとビューコードとに関連づけて記憶する。なお、抽出データ記憶部４４は、データ抽出部４２により抽出された範囲内生データを記憶してもよい。この際、範囲内生データは、列番号コードとビューコードとに関連付けて抽出データ記憶部４４に記憶される。
【００２２】
次に、第１実施形態における処理を詳細に説明する。以下、説明を具体的にするため、Ｘ線検出器１６は、８列の検出素子列１６２を備えるとする。さらに、スキャン範囲は、Ｘ線検出器１６の全列よりも狭い範囲、具体的には、中心２列、すなわち、４及び５列目の検出素子列１６２であるとする。
【００２３】
まず、全データ記憶部３２における投影データの読み書き方式と抽出データ記憶部４４における投影データの読み書き方式との違いについて説明する。
【００２４】
図３は、全データ記憶部３２における投影データの読み書き方式を説明するための図である。まずは、全データ記憶部３２へ投影データを書き込む（記憶する）処理について説明する。スキャン中、データ収集回路２６は、Ｘ線管球１４が一定角度回転する毎に、全ての検出素子列１６２から生データを収集する。図３に示すように、例えば、Ｘ線管球１４が位置（Ｎ）に位置しているとき、データ収集回路２６は、全ての検出素子列１６２からの生データを収集する。この位置（Ｎ）の生データは、１列目の検出素子列からの生データ〜８列目の検出素子列からの生データにより構成される。この位置（Ｎ）における全列分の生データは、前処理部３０により、全列分の投影データ５１に変換される。この位置（Ｎ）の全列分の投影データ５１は、１列目の検出素子列からの投影データ（列１データ）〜８列目の検出素子列からの投影データ（列８データ）により構成される。位置（Ｎ）の全列分の投影データ５１は、全データ記憶部３２の記憶領域に記憶される。すなわち、全データ記憶部３２は、範囲内投影データ（４及び５列目に関する投影データ５１Ａ）だけでなく、範囲外投影データ（１〜３列目及び６〜８列目に関する投影データ５１Ｂ）をも記憶する。この際、記憶される各列の投影データには、各列にそれぞれ対応する列番号コードと、位置（Ｎ）を示すビューコードとが関連付けられている。
【００２５】
図３に示すように、Ｘ線管球１４が位置（Ｎ）から位置（Ｎ＋１）に移動されると、データ収集回路２６は、同様に、位置（Ｎ＋１）における全列分の生データを収集する。そして、全データ記憶部３２は、位置（Ｎ＋１）における全列分の生データに対応する全列分の投影データ５２（範囲内投影データ５２Ａ及び範囲外投影データ５２Ｂ）を、位置（Ｎ）に関する投影データ５１に続けて記憶する。この際、データ収集回路２６は、位置（Ｎ＋１）における各列の生データについて、各列にそれぞれ対応する列番号コードと、位置（Ｎ＋１）を示すビューコードとを関連付ける。この様に、全データ記憶部３２は、バックアップ等のため、全列分の投影データ５１，５２…を記憶する。この場合、例えば、一回のスキャンで１０００ビュー分の投影データが発生されるとすると、１０００ビュー×８列＝８０００列分の投影データが、全データ記憶部３２に記憶されることとなる。
【００２６】
次に、全データ記憶部３２から投影データを読み出す処理について説明する。全列分の投影データを用いての画像再構成処理の開始要求を受けると、再構成処理部３４は、全データ記憶部３２から、必要なビュー角度分の投影データを読み出す。この際、再構成処理部３４は、全列分である８列分の投影データを、１つのビュー角度に関する投影データの集合として読み出す。この場合、例えば、画像再構成に必要な投影データが１０００ビュー分の投影データであるとすると、１０００ビュー×８列＝８０００列分の投影データが全データ記憶部３２から読み出される。例えば、位置（Ｎ）における８列分の投影データ５１を読み出すと、その次の８列分の投影データを位置（Ｎ＋１）における投影データ５２として読み出す。このようにして必要な全ての投影データを読み出すと、再構成処理部３４は、読み出した投影データに基づいて画像データを再構成する。
【００２７】
図４は、抽出データ記憶部４４における投影データの読み書き方式を説明するための図である。まずは、抽出データ記憶部４４へ投影データを書き込む（記憶する）処理について説明する。図４に示すように、例えば、Ｘ線管球１４が位置（Ｎ）に位置しているとき、データ収集回路２６は、全ての検出素子列１６２からの生データを収集するとする。この位置（Ｎ）の全列分の生データから、範囲内生データである４及び５列目の生データがデータ抽出部３２により抽出される。そして、抽出された位置（Ｎ）の範囲内生データに対応する範囲内投影データ５１Ａは、抽出データ記憶部４４に記憶される。この際、記憶される各列の投影データには、各列にそれぞれ対応する列番号コードと、位置（Ｎ）を示すビューコードとが関連付けられている。
【００２８】
Ｘ線管球が位置（Ｎ）から位置（Ｎ＋１）に移動されると、データ収集回路２６は、同様に、位置（Ｎ＋１）における全列分の生データを収集する。この位置（Ｎ＋１）に関する全列分の生データから、範囲内生データである４及び５列目に関する生データが、データ抽出部４２により抽出される。そして、抽出データ記憶部４４は、位置（Ｎ＋１）の範囲内生データに対応する範囲内投影データ５２Ｂを、位置（Ｎ）に関する範囲内投影データ５１Ｂに続けて記憶する。この様に、抽出データ記憶部４２は、データ量の削減等のために、範囲外投影データ５１Ｂ、５２Ｂ（１〜３列目及び６〜８列目に関する投影データ）を記憶せずに、範囲内投影データ５１Ａ、５１Ａ（４及び５列目に関する投影データ）のみを記憶する。例えば、一回のスキャンで１０００ビュー分の投影データが発生されるとすると、１０００ビュー×２列＝２０００列分の投影データが、抽出データ記憶部４４に記憶されることとなる。
【００２９】
この抽出データ記憶部４４の記憶方式と上述の全データ記憶部３２の記憶方式とを比較すると明らかなように、範囲内投影データのみを記憶することで、１スキャン分の投影データのための記憶領域を大幅に削減することが可能となる。また、これに伴い、より多くスキャンすることが可能となる。
【００３０】
次に、同図４を参照しながら、抽出データ記憶部４４から投影データを読み出す処理について説明する。範囲内投影データのみを用いての画像再構成処理の開始要求を受けると、再構成処理部３４は、抽出データ記憶部４４から、必要なビュー角度分の投影データを読み出す。この際、再構成処理部３４は、収集列数分、この場合、２列分の投影データを１つのビュー角度に関する投影データの集合として読み出す。例えば、位置（Ｎ）における２列分の投影データ５１Ａを読み出すと、その次の２列分の投影データを位置（Ｎ＋１）における投影データ５２Ａとして読み出す。このように、収集列数に基づいて、投影データを読み出すことで、その投影データのビュー角度（管球位置）及び列番号を特定することが可能となる。必要な投影データを読み出すと、再構成処理部３４は、読み出した投影データに基づいて画像データを再構成する。例えば、画像再構成に必要な投影データが１０００ビュー分の投影データであるとすると、１０００ビュー×２列＝２０００列分の投影データが、抽出データ記憶部４４から読み込まれる。
【００３１】
この抽出データ記憶部４４からの読み出し方式と上述の全データ記憶部３２からの読み出し方式とを比較すると明らかなように、範囲内投影データのみが読み出されることで、画像再構成に必要な投影データを読み出す量を大幅に削減することが可能となる。これに伴い、画像再構成における処理時間を短縮させることが可能となる。
【００３２】
次に、スキャン制御部２２の制御のもとに行なわれる、抽出データ記憶部４４への範囲内投影データの書き込み（記憶）処理の流れを説明する。図５は、範囲内投影データの記憶処理の流れを示す図である。なお、この記憶処理の前段階において、操作者から操作部４０を介した指示に基づいて、全ての検出素子列１６２よりも狭い範囲にスキャン範囲が設定されているものとする。
【００３３】
操作部４０を介してスキャン範囲が指定され、スキャン開始の指示がなされると、スキャン制御部２２は、少なくとも指定されたスキャン範囲にコーンビームＸ線を連続的に照射させて、被検体をコンベンショナルスキャンする。コンベンショナルスキャン中、データ収集回路２６は、Ｘ線管球１４が一定角度回転する毎に、Ｘ線検出器１６の全列分の生データを収集する。データ収集回路２６による生データの収集は、Ｘ線管球１４が一回転する間に、例えば１０００回繰り返される。収集された生データは、１ビュー毎に、データ収集回路２６によりデータ抽出部４２に送信される。データ抽出部４２は、データ収集回路２６から生データを受信する（ステップＳＡ１）。なお、データ抽出部４２が抽出する生データには、データ収集回路２６により列番号コードとビューコードとが付されているものとする。
【００３４】
生データを受信すると、データ抽出部４２は、その生データが範囲内生データであるか否かを判定する（ステップＳＡ２）。この判定処理を詳細に説明する。まず、データ抽出部４２は、受信した生データに付されている列番号コードが示す列番号と、スキャン範囲に含まれる検出素子列１６２の列番号とを照合する。照合の結果、受信した生データに付されている列番号がスキャン範囲に含まれる検出素子１６１の列番号に含まれると判定した場合、データ抽出部４２は、その生データを範囲内生データであると判定する（ステップＳＡ２：ＹＥＳ）。この範囲内生データは、データ抽出部４２により、前処理部３０に送信される。範囲内生データを受信すると、前処理部３０は、この範囲内生データに前処理をして範囲内投影データを発生する（ステップＳＡ３）。発生された範囲内投影データは、前処理部３０により抽出データ記憶部４４に送信される。範囲内投影データを受信すると、抽出データ記憶部４４は、この範囲内投影データを記憶する（ステップＳＡ４）。
【００３５】
一方ステップＳＡ２において、受信した生データに付されている列番号がスキャン範囲に含まれる検出素子１６１の列番号に含まれると判定した場合、データ抽出部４２は、その生データを範囲外生データであると判定する（ステップＳＡ２：ＮＯ）。この範囲外生データは、データ抽出部４２により、処理対象外とされる（ステップＳＡ５）。この処理対象外とされた範囲外投影データは、抽出データ記憶部４４に記憶されない。
【００３６】
ステップＳＡ４又はステップＳＡ５が終了すると、スキャン制御部２２は、すべての生データについて処理したか否か、すなわちスキャンが終了したか否かを判定する（ステップＳＡ６）。まだ処理していない生データがある、すなわち、まだスキャンが終了していないと判定すると（ステップＳＡ６：ＮＯ）、スキャン制御部２２は、再び、ステップＳＡ１からステップＳＡ６までを繰り返す。一方、まだ処理していない生データがない、すなわち、スキャンが終了したと判定すると（ステップＳＡ６：ＹＥＳ）、スキャン制御部２２は、範囲内投影データの記憶処理を終了する。
【００３７】
このように、抽出データ記憶部４４は、範囲外投影データを記憶せずに、範囲内投影データのみを記憶することができる。すなわち、再構成処理に必要な投影データのみを記憶することができる。このため、全列分の投影データを記憶する場合に比して、投影データの記憶データ量を、削減することができる。スキャン範囲によっては、記憶データ量を半分以下に削減することも可能である。
【００３８】
範囲内投影データを用いての画像再構成処理の開始要求がなされると、再構成処理部３４は、抽出データ記憶部４４から、画像再構成に必要なビュー角度分の範囲内投影データを読み出し、画像再構成処理を行なう。この画像再構成処理により再構成処理部３４は、画像データを発生する。また、スキャンと同時に画像再構成処理を行なうように設定された場合、範囲内投影データは、ステップＳＡ４においてデータ抽出部４４に記憶されると同時に、再構成処理部３４に供給されてもよい。範囲内投影データの供給を受けた再構成処理部３４は、画像再構成処理を行い、画像データを発生する。
【００３９】
範囲内投影データのみを用いる画像再構成処理は、範囲外投影データを読み出さないので、全列分の投影データを用いる画像再構成処理に比して再構成処理における処理時間が短い。
【００４０】
かくして第１実施形態によれば、画像再構成に必要な投影データの効率的保存及び利用を実現するＸ線コンピュータ断層撮影装置を提供することが可能となる。
【００４１】
なお、Ｘ線コンピュータ断層撮影装置は、全データ記憶部３２を備えるとしたが、不要である場合は、備えていなくともよい。
【００４２】
また、図５に示される範囲内投影データの書き込み（記憶）処理は、必ずしも、上記のようにスキャン中リアルタイムに実行される必要はない。例えば、以下のような実施例が考えられる。
【００４３】
長期保存や他施設での利用を目的として、投影データをＤＶＤ、ＣＤ、ＭＯ等の持ち運び可能な記録媒体へ記録したり、ネットワークを介して他の装置へ伝送したりすることが考えられる。近年のＸ線検出器の多列化に伴い、スキャンにより発生する投影データの容量が膨大になっている。従って、全列分の投影データから範囲内投影データを抽出することは、記録媒体への記憶又は他装置への伝送するデータ量の削減という観点から、有意義である。そこで、スキャン制御部２２は、データ出力部３８により、ＤＶＤ、ＣＤ、ＭＯ等の持ち運び可能な記録媒体に投影データを書き込む場合や、ネットワークを介して他装置へ伝送する場合に、範囲内投影データの記憶処理を開始してもよい。なお、この場合、ステップＳＡ１においては、全データ記憶部３２から、記録媒体への記憶又は他装置への伝送に必要なビュー角度分の生データが読み出される。そして読み出した生データについて、ステップＳＡ２〜ステップＳＡ６までの処理が行なわれる。ステップＳＡ６後、データ出力部３８は、記録媒体への記憶又は他装置への伝送に必要なビュー角度分の投影データを抽出データ記憶部４４から読み出して、ＤＶＤ、ＣＤ、ＭＯ等の持ち運び可能な記録媒体に書き込んだり、ネットワークを介して他装置へ伝送したりする。なお、この場合、ステップＳＡ５において必ずしも範囲内投影データを抽出データ記憶部４４に記憶させる必要はない。ステップＳＡ５においてデータ出力部３８は、データ抽出部４２から範囲内投影データを受信し、受信した範囲内投影データを記録媒体に書き込んだり、ネットワークを介して他装置へ伝送したりしてもよい。
【００４４】
（第２実施形態）
本発明の第２実施形態に係わるＸ線コンピュータ断層撮影装置について説明する。なお以下の説明において、本実施形態と略同一の機能を有する構成要素については、同一符号を付し、必要な場合にのみ重複説明する。
【００４５】
図６は、本発明の第２実施形態に係わるＸ線コンピュータ断層撮影装置の構成を示す図である。図６に示すように、Ｘ線コンピュータ断層撮影装置は、ガントリ６０を備える。Ｘ線管球１４は、スキャン制御部２２の制御のもと、コーンビームＸ線をパルス的に発生させる。ここでパルス的とは、所定時間をおいてＸ線が繰り返し発生されることを意味する。ガントリ６０のＸ線管球１４の近傍には、リファレンス検出器６２が設けられている。リファレンス検出器６２は、Ｘ線検出器１６と同様のメカニズムで入射Ｘ線の強度に応じた電流信号を発生する、小型の検出器である。リファレンス検出器６２は、Ｘ線管球１４からＸ線が発生されているか否かを判定するために設けられる。リファレンス検出器６２には、データ収集回路６４が接続されている。
【００４６】
データ収集回路６４は、Ｘ線検出器１６から読み出される電流信号を増幅し、デジタル信号（生データ）に変換する。また、データ収集回路６４は、リファレンス検出器６２から読み出される電流信号を増幅し、デジタル信号に変換する。リファレンス検出器６２からのデジタル信号を、リファレンスデータと呼ぶことにする。データ収集回路６４は、生データに、列番号コード、ビューコード、及び同一のビュー角度に関するリファレンスデータを付す。生データ等は、非接触データ伝送部２８を経由して、前処理部３０及びデータ抽出部４２に伝送される。
【００４７】
Ｘ線コンピュータ断層撮影装置は、前処理部３０、全データ記憶部３２、データ出力部４２、及びスキャン制御部２２の他に、データ抽出部７２、未照射コード変換部７４、抽出データ記憶部７６、投影データ変換部７８、及び再構成処理部８０をさらに備える。
【００４８】
スキャン制御部２２は、操作部４０を介して入力されたスキャン条件に基づいて、Ｘ線管球１４とＸ線検出器１６と回転フレーム１２とを制御して、被検体をコーンビームＸ線でスキャンする。具体的には、スキャン制御部２２は、少なくともスキャン範囲にコーンビームＸ線が照射されるように、Ｘ線管球１４からＸ線を複数回単発的に発生させる。第２実施形態において、スキャン制御部２２は、Ｘ線照射中に被検体が載置された天板（図示せず）又はガントリ１０をスライス方向に移動させるヘリカルスキャンを行なう。
【００４９】
データ抽出部７２は、範囲内データ抽出処理と照射データ抽出処理とを行なう。範囲内データ抽出処理においてデータ抽出部７２は、第１実施形態と同様に、データ収集回路６４から受信する生データから、範囲内生データを抽出する。照射データ抽出処理においてデータ抽出部７２は、リファレンスデータの値や処理対象の生データの値に基づいて、データ収集回路６４から受信する生データからＸ線照射時において収集された生データを抽出する。ここで、Ｘ線照射時において収集された生データを照射生データ、Ｘ線未照射時において収集された生データを未照射生データと呼ぶことにする。データ抽出部７２は、範囲内データ抽出処理と照射データ抽出処理とを組み合わせることが可能である。
【００５０】
例えば、データ抽出部７２は、範囲内生データに対して照射データ抽出処理をし、範囲内生データから照射データを抽出することができる。この範囲内生データ且つ照射生データを、範囲内・照射生データと呼ぶことにする。そして、残りの範囲内生データ且つ未照射生データを、範囲内・未照射生データと呼ぶことにする。前処理部３０は、範囲内・照射生データを前処理して、範囲内・照射投影データを発生する。
【００５１】
未照射コード変換部７４は、未照射生データを、Ｘ線未照射時において収集された生データであることを示すコードに変換する。以下、このコードを未照射コードと呼ぶことにする。未照射コードは、例えば数ビット程度のコードで表現される。従って、未照射コードのデータ長は、未照射生データのデータ長に比して短い。具体的には、未照射コード変換部７４は、範囲内・未照射生データを範囲内・未照射コードに変換する。
【００５２】
抽出データ記憶部７６は、抽出された生データ、それに対応する投影データ、未照射コードを記憶する。例えば、抽出データ記憶部７６は、範囲内・照射投影データと範囲内・未照射コードとを記憶する。範囲内・照射投影データと範囲内・未照射コードとは、列番号コード、ビューコード、及びリファレンスデータに関連付けて記憶される。範囲内・照射投影データと範囲内・未照射コードとは、抽出データ記憶部７６の記憶領域に、列番号順及びビュー角度順に並べて記憶される。また、抽出データ記憶部７６は、後述する範囲内・未照射投影データも列番号コード、及びビューコードに関連付けて記憶する。
【００５３】
投影データ変換部７８は、未照射コードを、未照射生データに対応する投影データである未照射投影データに変換する。例えば、投影データ変換部７８は、未照射コードを、投影データと同じデータ長を有し、投影データ値に対応する所定値のデータに変更する。この所定値は、複数の未照射投影データ値に基づいて経験的に得られた値である。投影データ変換部７８に記憶されている。投影データ変換部７８は、具体的には、範囲内・未照射コードを、範囲内・未照射生データに対応する範囲内・未照射投影データに変換する。
【００５４】
再構成処理部８０は、投影データを画像再構成処理して画像データを発生する。具体的には、再構成処理部８０は、範囲内・照射投影データと範囲内・未照射投影データとを画像再構成処理して画像データを発生する。
【００５５】
以下、第２実施形態における処理を詳細に説明する。以下、説明を具体的にするため、Ｘ線検出器１６は、８列の検出素子列を備えるとする。さらに、スキャン範囲は、Ｘ線検出器１６の全ての検出素子列１６２よりも狭い範囲、具体的には、中心２列、すなわち、４及び５列目の検出素子列１６２であるとする。また、ヘリカルスキャン中、１、３及び４回転目にはＸ線を照射せず、２及び５回転目にのみＸ線を照射させる場合を考える。
【００５６】
まず、図７を参照しながら、範囲内・照射投影データ及び未照射コードの記憶処理の概要を説明する。ヘリカルスキャンにより、１〜５回転目に関する全列分の生データである初期の生データＲＤ１が発生される。２及び５回転目に発生された生データは照射生データであり、１、３及び４回転目に発生された生データは未照射生データである。なお、初期の生データＲＤ１は、全データ記憶部３２に記憶される。
【００５７】
まず、データ抽出部７２により、初期の生データＲＤ１から範囲内生データが抽出され、範囲外生データが除去される。範囲内生データ抽出処理後の生データＲＤ２は、範囲内・照射生データと範囲内・未照射生データとを含む。前処理部３０は、範囲内・照射生データを前処理して範囲内・照射投影データを発生する。一方、未照射コード変換部７４は、範囲内・未照射生データを範囲内・未照射コードに変換する。そして、抽出データ記憶部７６は、図７に示すように、範囲内データＲＤ３（範囲内・照射投影データと範囲内・未照射コード）を、列番号及びビュー角度の順番に従って記憶領域に記憶する。
【００５８】
このように、抽出データ記憶部７４は、範囲内投影データのうちの範囲内・未照射投影データを記憶するのではなく、範囲内・未照射投影データの代わりに範囲内・未照射コードを記憶する。従って、範囲内投影データをそのまま記憶する場合に比して、１スキャンあたりの投影データの記憶データ量を削減することが可能となる。
【００５９】
次に、図８を参照しながら、スキャン制御部２２の制御のもとに行なわれる、範囲内・照射投影データ及び範囲内・未照射コードの書き込み（記憶）処理の流れを説明する。なお、ステップＳＢ１の前段階において、操作者からの指示に基づいて、全列よりも狭い範囲にスキャン範囲が設定されているものとする。操作部４０等を介してスキャンの開始指示がなされると、スキャン制御部２２は、設定されたスキャン範囲にＸ線が照射され、２回転目及び５回転のみにＸ線を照射しながらヘリカルスキャンする。
【００６０】
スキャン中、データ収集回路６４は、例えば、Ｘ線管球１４が一定角度回転する毎に、全列から生データを読み込む。読み込まれた生データは、データ収集回路６４により、データ抽出部７２に送信される。データ収集回路６４による生データの読み込みは、Ｘ線管球１４が一回転する間に、例えば１０００回繰り返される。データ収集回路６４は、生データを読み込む毎に、読み込んだ生データをデータ抽出部７２に送信する。データ抽出部７２は、データ収集回路６４から生データを受信する（ステップＳＢ１）。なお、データ抽出部７２が抽出する生データには、データ収集回路６４により、リファレンスデータ、列番号コード、及びビューコードが付されているものとする。
【００６１】
生データを受信すると、データ抽出部７２は、受信した生データに付されている列番号コードとスキャン範囲に含まれる検出素子列１６２の列番号コードとを照合することにより、生データが範囲内生データであるか否かを判定する（ステップＳＢ２）。受信した生データに付されている列番号がスキャン範囲に含まれる検出素子列１６２の列番号に含まれる場合、データ抽出部７２は、その生データを範囲内生データであると判定する（ステップＳＢ２：ＹＥＳ）。
【００６２】
次にデータ抽出部７２は、範囲内生データが範囲内・照射生データであるか否かを判定する（ステップＳＢ３）具体的には、データ抽出部７２は、生データに付されているリファレンスデータの値を予め設定された閾値と比較する。この閾値は、Ｘ線照射時において発生されたリファレンスデータの値とＸ線未照射時において発生されたリファレンスデータの値との境目の値である。この閾値は、経験的に求められる値である。生データに付されているリファレンスデータが所定値よりも大きい場合、データ抽出部７２は、生データを範囲内・照射生データであると判定する（ステップＳＢ３：ＹＥＳ）。範囲内・照射生データは、データ抽出部７２により、前処理部３０へ送信される。前処理部３０は、範囲内・照射生データを前処理して、範囲内・照射投影データを発生する（ステップＳＢ４）。範囲内・照射投影データは、前処理部３０により抽出データ記憶部７６に送信される。範囲内・照射投影データを受信すると、抽出データ記憶部７６は、この範囲内・照射投影データを記憶する（ステップＳＢ５）。
【００６３】
一方、ステップＳＢ３において、生データに付されているリファレンスデータが閾値よりも小さい場合、データ抽出部７２は、生データを範囲内・未照射生データであると判定する（ステップＳＢ３：ＮＯ）。範囲内・未照射生データは、データ抽出部７２により、未照射コード変換部７４に送信される。範囲内・未照射生データを受信すると、未照射コード変換部７４は、範囲内・未照射生データを範囲内・未照射コードに変換する（ステップＳＢ６）。未照射コード変換部７４は、未照射生データに付されている列番号コードと同じ列番号コードを範囲内・未照射コードに付す。範囲内・未照射コードは、未照射コード変換部７４により、抽出データ記憶部７６に送信される。範囲内・未照射コードを受信すると、抽出データ記憶部７６は、この範囲内・未照射コードを記憶する（ステップＳＢ７）。
【００６４】
ステップＳＢ５又はステップＳＢ７が終了すると、スキャン制御部２２は、すべての生データについて処理したか否か、すなわち、スキャンが終了したか否かを判定する（ステップＳＢ８）。まだ処理していない生データがある、すなわち、まだスキャンが終了していないと判定すると（ステップＳＢ８：ＮＯ）、スキャン制御部２２は、再び、ステップＳＢ１からステップＳＢ８までを繰り返す。一方、まだ処理していない生データがない、すなわち、スキャンが終了したと判定すると（ステップＳＢ８：ＹＥＳ）、スキャン制御部２２は、範囲内・照射投影データと範囲内・未照射コードとの記憶処理を終了する。
【００６５】
範囲内・照射投影データと範囲内・未照射コードとの記憶処理の終了時には、範囲内・照射投影データと範囲内・未照射コードとは、互いに区別されることなく、列番号及びビューの順番に従って記憶されている。
【００６６】
なお、図８に示す、範囲内投影データ及び範囲内・未照射コードの書き込み（記憶）処理は、必ずしも、上記のようにスキャン中リアルタイムに実行される必要はない。例えば、スキャン制御部２２は、データ出力部３８により、ＤＶＤ、ＣＤ、ＭＯ等の持ち運び可能な記録媒体に範囲内投影データ及び範囲内・未照射コードを書き込む場合や、ネットワークを介して他装置へ伝送する場合に、範囲内投影データ及び範囲内・未照射コードの書き込み（記憶）の記憶処理を開始してもよい。なお、この場合、ステップＳＢ１においては、全データ記憶部３２から、記録媒体への記憶又は他装置への伝送に必要なビュー角度分の生データが読み出される。そして読み出した生データについて、ステップＳＢ２〜ステップＳＢ８までの処理が行なわれる。ステップＳＢ８後、データ出力部３８は、記録媒体への記憶又は他装置への伝送に必要なビュー角度分の投影データを抽出データ記憶部７６から読み出して、ＤＶＤ、ＣＤ、ＭＯ等の持ち運び可能な記録媒体に書き込んだり、ネットワークを介して他装置へ伝送したりする。なお、この場合、ステップＳＢ５及びＳＢ７において必ずしも範囲内・照射投影データ及び範囲内・未照射コードを抽出データ記憶部７４に記憶させる必要はない。ステップＳＢ５及びＳＢ７においてデータ出力部３８は、データ抽出部７２から範囲内・照射投影データ及び範囲内・未照射コードを受信し、記録媒体に書き込んだり、ネットワークを介して他装置へ伝送したりしてもよい。
【００６７】
次に、図９を参照しながら、範囲内・照射投影データ及び範囲内・未照射コードを用いての画像再構成処理の流れについて説明する。操作部４０等を介して画像再構成処理の開始指示を受けると、画像再構成処理が開始される。まず、再構成処理部８０は、抽出データ記憶部から、画像再構成に必要な範囲内データ（範囲内・照射投影データ又は範囲内・未照射コード）を読み出す（ステップＳＣ１）。
【００６８】
データの読み出し中、再構成処理部８０は、読み出している範囲内データが範囲内・照射投影データか否かを判定する（ステップＳＣ２）。この判定処理は、例えば、読み出しているデータのデータ長に基づいて判定される。また、投影データに対して投影データであることを示すコードが付され、未照射コードに対して未照射コードであることを示すコードが付されている場合、これらコードに基づいて判定されても良い。読み出しているデータが範囲内・照射投影データであると判定した場合（ステップＳＣ２：ＹＥＳ）、再構成処理部８０は、再構成処理部８０内部のメモリに、その範囲内・照射投影データを保持する。一方、範囲内データが範囲内・照射投影データでない、すなわち、範囲内・未照射コードであると判定した場合（ステップＳＣ２：ＮＯ）、再構成処理部８０は、この範囲内・未照射コードを投影データ変換部７８に送信する。範囲内・未照射コードを受信すると、投影データ変換部７８は、この範囲内・未照射コードを範囲内・未照射投影データに変換する（ステップＳＣ３）。範囲内・未照射投影データは、投影データ変換部７８により、再構成処理部８０に送信される。範囲内・未照射投影データを受信すると、再構成処理部８０は、その範囲内・未照射投影データを内部のメモリに保持する。
【００６９】
範囲内・照射投影データ又は範囲内・未照射投影データが保持されると、再構成処理部８０は、画像再構成処理に必要な全ての範囲内投影データが揃ったか否かを判定する（ステップＳＣ４）。必要な全ての範囲内投影データが揃っていないと判定すると（ステップＳＣ４：ＮＯ）、再びステップＳＣ１に戻り、抽出データ記憶部７６から範囲内データを読み出す。必要な全ての範囲内投影データが揃ったと判定すると（ステップＳＣ４：ＹＥＳ）、再構成処理部８０は、メモリに保持されている範囲内投影データを画像再構成処理して、画像データを発生する（ステップＳＣ５）。画像データが発生されると、スキャン制御部２２は、画像再構成処理を終了する。
【００７０】
このように、範囲内・未照射投影データを範囲内・未照射コードに置き換えて記憶した場合にも、範囲内・未照射投影データと範囲内・未照射コードとを関連付けておくことで、範囲内・未照射コードを範囲内・未照射投影データに変換して画像再構成処理を行なうことができる。
【００７１】
かくして第２実施形態によれば、画像再構成に必要な投影データの効率的保存及び利用を実現するＸ線コンピュータ断層撮影装置を提供することが可能となる。
【００７２】
なお、本発明は上記第１及び第２実施形態そのままに限定されるものではなく、実施段階ではその要旨を逸脱しない範囲で構成要素を変形して具体化できる。
【００７３】
（変形例１）
上記の第２実施形態におけるヘリカルスキャン中においてスキャン範囲を移動させるために、Ｘ線管球１４にコリメータ１５が取り付けられる場合がある。コリメータ１５の動作は、スキャン制御部２２により制御される。ヘリカルスキャン中、スキャン制御部２２によるコリメータ１５の動作に伴い、Ｘ線検出器１６の検出面に対するＸ線照射野（スキャン範囲）が移動する。スキャン制御部２２は、スキャン範囲の移動に応じて変化するスキャン範囲に含まれる検出素子列１６２の列番号をデータ収集回路６４に送信する。データ収集回路６４は、受信した列番号を、対応する生データに付す。データ抽出部７２は、このスキャン範囲の移動に伴って変化する列番号に従って、範囲内生データを抽出する。従って、変形例１に係わるＸ線コンピュータ断層撮影装置は、コリメータの動作に応じて位置及び大きさが変化するスキャン範囲に対応する範囲内生データを抽出でき、抽出された範囲内生データに基づく範囲内投影データを記憶することができる。
【００７４】
（変形例２）
上記の第２実施形態では、ヘリカルスキャンが行なわれるとした。しかしながらこれに限定する必要はなく、第２実施形態は、コンベンショナルスキャンにも適用可能である。
【００７５】
以下、変形例２に係わるＸ線コンピュータ断層撮影装置について、臨床的に有意義な心臓スキャンを例に挙げて説明する。Ｘ線管球１４は、一定時間をおいて単発的に繰り返しＸ線を発生する。ガントリ１０には、被検体の心電図のデータを発生する。発生された心電図のデータは、スキャン制御部２２に送信される。スキャン制御部２２は、心電図の特徴波（例えばＲ波）の発生タイミングに同期して、Ｘ線管球１４にＸ線を単発的に繰り返し発生させる。この際、スキャン制御部２２は、少なくともスキャン範囲にＸ線が照射されるようにスキャンを行なう。また、スキャン中、スキャン制御部２２は、被検体が載置されている天板又はガントリ７０を移動させないコンベンショナルスキャンを行なう。なお、スキャン制御部２２は、心電波形に同期してＸ線を発生させずに、任意のタイミングでＸ線を単発的に繰り返し発生させてもよい。
【００７６】
変形例２に係わるデータ抽出部７２は、第２実施形態と同様に、リファレンス検出器からのリファレンスデータに基づいて、範囲内生データから範囲内・照射生データと範囲内・未照射生データとを区別して抽出する。範囲内・未照射生データは、未照射コード変換部７４により、範囲内・未照射コードに変換される。抽出データ記憶部７６は、第２実施形態と同様に、範囲内・照射生データに対応する範囲内・照射投影データと範囲内・未照射コードとを記憶する。
【００７７】
このように、変形例２に係わるＸ線コンピュータ断層撮影装置は、コンベンショナルスキャンにおいてＸ線を単発的に発生させ、範囲内・照射投影データと範囲内・未照射コードとを記憶することができる。
【００７８】
（変形例３）
全データ記憶部３２の記憶領域が有限であるため、投影データを定期的にバックアップする必要がある。このバックアップ処理において、データ出力部４２は、範囲内投影データを、スキャン範囲に含まれる検出素子列１６２の列数に基づいて全データ記憶部３２から読み出すことで、バックアップ処理の処理時間を短縮することができる。
【００７９】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８０】
【図１】本発明の第１実施形態に係わるＸ線コンピュータ断層撮影装置のブロック構成図。
【図２】図１のＸ線検出器の概略構成図。
【図３】図１の全データ記憶部における投影データの読み書き方式の説明図。
【図４】図１の抽出データ記憶部における投影データの読み書き方式の説明図。
【図５】図１のスキャン制御部による範囲内投影データの記憶処理の流れを示す図。
【図６】本発明の第２の実施形態に係わるＸ線コンピュータ断層撮影装置のブロック構成図。
【図７】図６の抽出データ記憶部における照射投影データ及び未照射コードの記憶処理の概要を示す図。
【図８】図６のスキャン制御部による範囲内・照射投影データ及び範囲内・未照射コードの書き込み（記憶）処理の流れを示す図。
【図９】図６のスキャン制御部による範囲内・照射投影データ及び範囲内・未照射コードを用いての画像再構成処理の流れを示す図。
【符号の説明】
【００８１】
１０…ガントリ、１２…回転フレーム、１４…Ｘ線管球、１５…コリメータ、１６…Ｘ線検出器、１８…回転駆動部、２０…高電圧発生部、２１…スリップリング、２２…スキャン制御部、２４…管球位置検出部、２６…データ収集回路、２８…非接触データ伝送部、３０…前処理部、３２…全データ記憶部、３４…再構成処理部、３６…表示部、３８…データ出力部、４０…操作部、４２…データ抽出部、４４…抽出部データ記憶部
【図１】
2010051569.tif 000003
【図２】
2010051569.tif 000004
【図３】
2010051569.tif 000005
【図４】
2010051569.tif 000006
【図５】
2010051569.tif 000007
【図６】
2010051569.tif 000008
【図７】
2010051569.tif 000009
【図８】
2010051569.tif 000010
【図９】
2010051569.tif 000011